(57)【要約】  【課題】  共用ゾーンである廊下で、ペットによる潤いを享受できるようにすることにより、全体として潤いのある空間を実現したペット共生用集合住宅を提供する。  【解決手段】  廊下３５に沿って複数の住戸３１が配置され、廊下３５と各住戸３１とを区画する仕切壁３６の内側にペットのための専用空間３３を設け、少なくとも廊下３５側からペット専用空間３３の内部を視ることが可能な可視隔壁部３４を仕切壁３６に設けたことを特徴とする。【選択図】  図３
2008255739.tif 000002
【特許請求の範囲】
【請求項１】
廊下に沿って複数の住戸が配置され、廊下と各住戸とを区画する仕切壁の内側にペットのための専用空間を設け、少なくとも廊下側からペット専用空間の内部を視ることが可能な可視隔壁部を前記仕切壁に設けたことを特徴とするペット共生用集合住宅。
【請求項２】
廊下に沿って複数の住戸が配置され、廊下と各住戸とを区画する仕切壁にペットが出入り可能な開口を形成し、当該開口を挟む廊下側と住戸内側とに連続するペットのための専用空間を設け、廊下側に張り出したペット専用空間は側壁、可視隔壁部及び天井により囲んで形成し、可視隔壁部は少なくとも廊下側からペット専用空間の内部を視ることが可能に形成されたものであるペット共生用集合住宅。
【請求項３】
前記可視隔壁部は、ガラス又は複数のガラスブロックが嵌められた枠体を、前記仕切壁の所定位置に設けられた開口部に嵌めて形成したものである請求項１又は請求項２に記載のペット共生用集合住宅。
【発明の詳細な説明】
【技術分野】
【０００１】
本発明は、ペット共生用集合住宅に関する。
【背景技術】
【０００２】
少子化や高齢化が進むなかで、地域社会における人間同士の触合いが減少することにより、孤独感、無気力感、憂鬱感などが満ち溢れている。これを補うため、ペットを飼って癒しを得ようとする人たちや、ペットを家族の一員と考える人たちが増えている。犬や猫等のペットと一緒に住むことを可能にする設備が、一戸建て住宅のみならず、都市部の集合住宅においても求められるようになっている。
このような集合住宅として、特許文献１には、建物の入り口付近にペット用の洗い場が設けられたペット共生用集合住宅が提案されている。これ以外にも、足洗い場、汚物水洗処理装置、リードフック、毛詰まり防止排水溝等が設けられたペット共生用集合住宅は既に実施されている。
【特許文献１】登録実用新案第３０８２５９７号公報
【発明の開示】
【発明が解決しようとする課題】
【０００３】
ペット共生用集合住宅の課題として、ペットの鳴声による騒音対策、臭いや排泄物対策、ペット同士の威嚇や喧嘩等を原因とするトラブル防止などが挙げられる。多くの場合、トラブル防止対策として、集合住宅の管理組合によりペットに関する規則が定められている。これにより、ペットが単独で共用ゾーンへ出入りすることは禁じられ、ペットは住戸内に閉じ込められた状態になっている。またペットが飼い主と一緒に共用ゾーンに出たときにも、トラブル防止のための規則等により、ペットが他の居住者と触れ合う機会は、極めて限定されたものになっている。
したがって、ペット共生用集合住宅では、各住戸内における飼い主とペットとの触れ合いによる癒しを可能にする一方で、廊下等の共用ゾーンは無味乾燥なままであり、集合住宅全体として潤いのある空間を実現することは依然として困難である。
【０００４】
上述したような従来の集合住宅の問題点を鑑みて、本発明では、共用ゾーンである廊下においても、ペットによる潤いを享受できるようにすることにより、建物全体としても潤いのある空間を実現可能とするペット共生用集合住宅を提供することにある。
【課題を解決するための手段】
【０００５】
上記課題を解決するために、本発明では、廊下に沿って複数の住戸が配置され、廊下と各住戸とを区画する仕切壁の内側にペットのための専用空間を設け、少なくとも廊下側からペット専用空間の内部を視ることが可能な可視隔壁部を前記仕切壁に設けたことを特徴とするペット共生用集合住宅が提供される。
【０００６】
本発明では、廊下に沿って複数の住戸が配置され、廊下と各住戸とを区画する仕切壁にペットが出入り可能な開口を形成し、当該開口を挟む廊下側と住戸内側とに連続するペットのための専用空間を設け、廊下側に張り出したペット専用空間は側壁、可視隔壁部及び天井により囲んで形成し、可視隔壁部は少なくとも廊下側からペット専用空間の内部を視ることが可能に形成されたものであるペット共生用集合住宅が提供される。
【０００７】
本発明のペット共生用集合住宅では、ガラス又は複数のガラスブロックが嵌められた枠体を、前記仕切壁の所定位置に設けられた開口部に嵌めることにより、前記可視隔壁部を形成することが可能である。
なお、枠体に嵌められるガラスは、遮炎性能を有する網入板ガラス、又は耐熱板ガラスとすることが好ましい。ここで、遮炎性能とは、建築基準法により定められたものであり、屋内で発生する火災と、建築物の周囲で発生する火災との両方に対し、加熱開始後２０分間加熱面以外の面に火炎を出さないものである。
【発明の効果】
【０００８】
本発明のペット共生用集合住宅では、各住戸内のペット専用空間が可視隔壁部を介して廊下に面しているため、犬等のペットは廊下を歩く住民の動きを察知し易く、これに反応してペット専用空間内で動き出す。一方、廊下を歩く居住者は、他住戸のペットと直接触れ合うことはできないものの、可視隔壁部から他住戸内のペット専用空間で動くペットを視て楽しむことが可能になった。このような可視隔壁部を介したペットとの交流により、飼い主以外の居住者もペットによる潤いや癒しを享受できるようになり、従来は無味乾燥であった廊下空間を潤いのある共用ゾーンへと変えることができる。
【０００９】
本発明のペット共生用集合住宅では、前記可視隔壁部を構成するガラス等が嵌められた枠体として様々な意匠のものを準備し、それらのなかから選択可能にすることにより、画一的になりがちな集合住宅の廊下の意匠をバリエーションに富んだものにすることができる。例えば、可視隔壁部を枠体に嵌められたガラスの表面に吹付けタイルを設けることによりガラスの可視面積を調整したり、吹付けタイルによる意匠を施しても良い。また枠体には縦格子、横格子あるいは縦横格子を設けても良く、この場合、ガラスは格子間に嵌めることができる。
【発明を実施するための最良の形態】
【００１０】
以下、本発明の実施の形態を添付図面に基づいて説明するが、本発明はこれに限定されるものではない。
【００１１】
図１及び図２は本発明のペット共生用集合住宅１０，２０における所定階の平面図である。図１のペット共生用集合住宅１０は、廊下１１の両端に階段１２が設けられ、複数の住戸１３が廊下１１に沿って片側に配置され、廊下１１と各住戸１３を区画する仕切壁１４の内側にペットのための専用空間１５が設けられたものである。また図２のペット共生用集合住宅２０は、中庭２１を囲むように回廊２２が設けられ、三方向の廊下２２に沿って複数の住戸２３が配置され、廊下２２と各住戸２３とを区画する仕切壁２４の内側にペットのための専用空間２５が設けられたものである。図１及び図２では、廊下１１，２２と各住戸１３，２３を区画する仕切壁１４，２４に、少なくとも廊下１１，２２側からペット専用空間１５，２５の内部を視ることが可能な可視隔壁部（図５（ａ）〜（ｄ）参照）が設けられる。
なお、ペット専用空間１５，２５は、図１では各住戸ゾーン１３，２３の仕切壁１４，２４の右端に配置し、図２では中央に配置したものを例示したが、特に、これらの配置に限定されるものではない。また図１及び図２の平面図では、仕切壁１４，２４の廊下側はほぼ平坦に形成されたものを例示したが、これに限定されるものではなく、例えば、図示はしないが、玄関側へ凹状に引き込んだスペースを廊下に設けるべく、仕切壁に凹凸を付け、この玄関部分にペット専用空間を形成することも可能である。
【００１２】
次に、図３（ａ）（ｂ）の平面図及び断面図を参照し、ペット専用空間について詳細に説明する。図３におけるペット共生用集合住宅３０は、各住戸３１の玄関３２にペット専用空間３３を配置したものであり、ペット専用空間３３は二つの側面がケージの格子３３ａ、残りの二つの側面がそれぞれ躯体壁３３ｂと可視隔壁部３４とにより囲まれて形成される。
ここで、可視隔壁部３４は、例えば、廊下３５と各住戸３１の仕切壁３６の躯体に開口３６ａを形成し、この開口３６ａに図５（ａ）〜（ｄ）のユニット４１〜４４を嵌めて固定することにより形成されたものである。図５（ａ）は矩形の枠体４１ａに網入板ガラス４１ｂを嵌めたユニット４１、図５（ｂ）は矩形の枠体４２ａに複数のガラスブロック４２ｂを嵌めたユニット４２、図５（ｃ）は矩形の枠体４３ａに縦格子４３ｂを設け、網入板ガラス４３ｃを嵌めたユニット４３、さらに、図５（ｄ）は矩形の枠体４４ａに網入板ガラス４４ｂを嵌め、網入板ガラス４４ｂの中央に円形部分４４ｃを残して吹付けタイル４４ｄで覆ったユニット４４である。
いずれのユニット４１〜４４もガラスを嵌めたものであるため、図３のペット共生用集合住宅３０では、飼い主以外の居住者３７であっても、廊下を歩くときに可視隔壁部３４を通して内部のペット３８を視ることが可能になった。これにより、従来は無味乾燥であった廊下空間にペットによる潤いや賑いが与えられる。
なお、図５（ａ）（ｃ）（ｄ）のユニット４１，４３，４４では、網入板ガラス４１ｂ，４３ｃ，４４ｂに代えて、網入ではない耐熱板ガラスを使用することも可能である。またペットを飼わない居住者は、廊下３５と各住戸３１の仕切壁３６の躯体に形成された開口３６ａに、図５（ｅ）に示したような、枠体４５ａに複数のレンガ４５ｂを嵌めて内部が視えないようにした不可視隔壁部４５を固定しても良い。さらに、ペット専用空間３３の上方には、居住者の選択により、図３（ｂ）に示したような収納３９を設けても良い。
【００１３】
次に、図４（ａ）（ｂ）は、図３とは異なるペット共生用集合住宅５０におけるペット専用空間５１周りのそれぞれ平面図及び断面図である。ペット専用空間５１は各住戸５２の玄関５３付近に配置することができる。廊下５４と各住戸５２の仕切壁５５の躯体に開口５５ａが形成され、ペット専用空間５１は、この開口５５ａを挟む廊下５４側に張り出した区分５６と住戸内側の区分５７とから構成される。廊下５４に張り出した区分５６は、可視隔壁部５８、側壁５６ａ及び躯体壁５６ｂに囲まれ、ここに天井５６ｃが設けられてペット３８を収容するために必要な高さ、例えば５０ｃｍ〜７５ｃｍ程度の高さに形成される。一方、住戸５２の内側の区分５７は、二つの側面がケージの格子５７ａ、残りの側面が躯体壁５７ｂにより囲まれて形成される。廊下５４側に張り出した区分５６と住戸５２の内側区分５７とを接続する開口５５ａには、ペット３８が自在に出入り可能なように可動扉５９が枢着される。また開口５５ａにはシャッター（図示せず）を取り付けることが好ましく、住戸５２内で火災が発生した場合に、シャッターが自動的に閉鎖されて延焼を防止できるように構成する。
なお、可視隔壁部５８には、図５（ａ）〜（ｄ）のユニット４１〜４４が使用され、必要に応じて可視隔壁部５８に代え、図５（ｅ）の不可視隔壁部４５を適用しても良い。またペット専用空間５１の上方には、居住者の選択により、図５（ｂ）に示したような収納６０を設けても良い。
図５（ａ）（ｂ）のペット共生用集合住宅５０では、ペット専用空間５１が部分的に共用ゾーンである廊下５４側に張り出しているため、プライバシーに対する抑制が少なくなり、飼い主以外の居住者３７にとっても、内部のペット３８を覗きやすくなり、ペットによる廊下５４の潤いや賑いが享受し易くなる。
【図面の簡単な説明】
【００１４】
【図１】本発明のペット共生用集合住宅における所定階の平面図である。
【図２】図１とは異なるペット共生用集合住宅における所定階の平面図である。
【図３】ペット共生用集合住宅におけるペット専用空間周りの図であり、（ａ）は平面図、（ｂ）は断面図である。
【図４】図３とは異なるペット共生用集合住宅におけるペット専用空間周りの図であり、（ａ）は平面図、（ｂ）は断面図である。
【図５】（ａ）〜（ｄ）は可視隔壁部を構成するユニットの正面図であり、（ｅ）の不可視隔壁部を構成するユニットの正面図である。
【符号の説明】
【００１５】
１０  ペット共生用集合住宅
１１  廊下
１３  住戸
１４  仕切壁
１５  ペット専用空間
２０  ペット共生用集合住宅
２２  廊下
２３  住戸
２４  仕切壁
３０  ペット共生用集合住宅
３１  住戸
３２  玄関
３３  ペット専用空間
３４  可視隔壁部
３５  廊下
３６  仕切壁
３６ａ  開口
３８  ペット
３７  飼い主以外の居住者
４１〜４４  ユニット
５０  ペット共生用集合住宅
５１  ペット専用空間
５２  住戸
５３  玄関
５４  廊下
５５  仕切壁
５５ａ  開口
５６  ペット専用空間の廊下側に張り出した区分
５７  ペット専用空間の住戸内側の区分
５８  可視隔壁部
５９  可動扉
【図１】
2008255739.tif 000003
【図２】
2008255739.tif 000004
【図３】
2008255739.tif 000005
【図４】
2008255739.tif 000006
【図５】
2008255739.tif 000007